(57)【特許請求の範囲】
【請求項１】
包装鏡餅固定台と、該包装鏡餅固定台を支持する支持台とからなり、
前記包装鏡餅固定台が、
短辺側端部と平行な長辺側端部で相互に連接された略横長台形状の屋根部内側面と屋根部外側面とからなる屋根部形成部を、前記長辺側端部に形成された折罫線を介して２つ折りに重ねた状態で円形状に湾曲させる屋根部と、
前記屋根部内側面の両側の傾斜辺にそれぞれ連接され、略半円状の切欠部を有する略Ｃ字状の一対の上方底面部形成部の両端同士を相互に連結することで、底部蓋材付きの包装鏡餅を内側方向に挿入する略円形状の包装鏡餅挿入穴が形成される上方底面部と、
前記一対の上方底面部形成部に隣接するように前記屋根部外側面の両側の傾斜辺にそれぞれ連接された略矩形状の一対の下方底面部形成部を連結することで、前記包装鏡餅挿入穴に挿入された前記包装鏡餅を下方から支持する下方底面部と
で構成される包装鏡餅用飾り台であって、
前記包装鏡餅固定台が、基材層とその上面に設けた光沢層で構成され、前記屋根部の折罫線で基材層を内側にして２つ折りに構成されていることを特徴とする、包装鏡餅用飾り台。
【発明の詳細な説明】
【技術分野】
【０００１】
本発明は、包装鏡餅に用いる飾り台に関する。
【背景技術】
【０００２】
従来、飾り映えのする三方付き鏡餅を購入できるとともに、廃材となる補強材を内装しなくとも前記三方で箱自体の保形強度を向上させるように構成した包装箱として、鏡餅等が上部台に載置された飾り台の大きさに合致するように構成し、かつ、包装箱の上下高さ方向のほぼ中間部位置に三方等の上部台周縁部を当接又は近接配置させるものが公知である（例えば、特許文献１参照。）。また、装飾用品が付加されている装飾用鏡餅を任意の場所に携帯することができ、かつ、その外観を鑑賞することができるように構成した容器として、鏡餅自体を上方から支持する用具を備え、鏡餅自体が載置された飾り台の下方及び周囲を支持するものが公知である（例えば、特許文献２参照。）。
【特許文献１】特開２００１−２７８２５６号公報
【特許文献２】特開平１１−２３５２６７号公報
【発明の開示】
【発明が解決しようとする課題】
【０００３】
しかしながら、前記包装箱又は容器に収納されている鏡餅等は、飾り台に固定されていないため、飾り台に載置した鏡餅等を取り出した場合又は持ち運びした場合には、鏡餅等が飾り台からずれ落ちるおそれがある。また、鏡餅に装飾品を取り付けていなければ、意匠性に優れていないという欠点もある。したがって、本発明は、包装鏡餅が飾り台からずれ落ちることがないように防止するとともに、簡易な手段で視認可能な部分を光沢層で構成して、鏡餅に装飾品を取り付けていなくても意匠性に優れた包装鏡餅用飾り台を提供することを目的とする。
【課題を解決するための手段】
【０００４】
前記課題を解決するための手段として、本発明は、包装鏡餅固定台と、該包装鏡餅固定台を支持する支持台とからなり、前記包装鏡餅固定台が、短辺側端部と平行な長辺側端部で相互に連接された略横長台形状の屋根部内側面と屋根部外側面とからなる屋根部形成部を、前記長辺側端部に形成された折罫線を介して２つ折りに重ねた状態で円形状に湾曲させる屋根部と、前記屋根部内側面の両側の傾斜辺にそれぞれ連接され、略半円状の切欠部を有する略Ｃ字状の一対の上方底面部形成部の両端同士を相互に連結することで、底部蓋材付きの包装鏡餅を内側方向に挿入する略円形状の包装鏡餅挿入穴が形成される上方底面部と、前記一対の上方底面部形成部に隣接するように前記屋根部外側面の両側の傾斜辺にそれぞれ連接された略矩形状の一対の下方底面部形成部を連結することで、前記包装鏡餅挿入穴に挿入された前記包装鏡餅を下方から支持する下方底面部とで構成される包装鏡餅用飾り台であって、前記包装鏡餅固定台が、基材層とその上面に設けた光沢層で構成され、前記屋根部の折罫線で基材層を内側にして２つ折りに構成されている。
【発明の効果】
【０００５】
前記手段によれば、包装鏡餅が上方底面部によって位置ずれすることはなく、また、下方底面部が下方から包装鏡餅を支持しているので、包装鏡餅及び包装鏡餅用飾り台を包装箱等から取り出したり、移動させたりしても、包装鏡餅が飾り台からずれ落ちることがない。また、支持台上に取り付けられる包装鏡餅固定台は、２つ折りにするという簡易な手段で、いずれも光沢性に優れた内側面と外側面とで構成され、かつ、包装鏡餅固定台の屋根部は、円形状に構成されるので、包装鏡餅に装飾品を取り付けていなくても意匠性に優れた包装鏡餅用飾り台を作製することができる。
【発明を実施するための最良の形態】
【０００６】
以下、添付の図面に従って、本発明の実施形態を説明する。
【０００７】
図１は、本発明の一実施形態に係る包装鏡餅用飾り台の斜視図であり、図７の包装鏡餅を固定した状態を示している。包装鏡餅用飾り台１は、包装鏡餅固定台２と支持台３とからなり、包装鏡餅４がずれ落ちないように包装鏡餅固定台２に包装鏡餅４を固定して使用されるものである。
【０００８】
包装鏡餅固定台２は、板紙等の基材層とその上に設けられたアルミニウム箔等の光沢層で構成されている。包装鏡餅固定台２は、屋根部２１を備える。屋根部２１は、折罫線２２を介して２つ折りにした屋根部形成部２１’からなり、円形状に湾曲している。屋根部形成部２１’は、短辺側端部と平行な長辺側端部で相互に連接された略横長台形状の屋根部内側面２３ａと屋根部外側面２３ｂとからなり、屋根部内側面２３ａと屋根部外側面２３の基材層同士を重ね合わせた状態で２つ折りにされている。内側に折り畳まれる屋根部外側面２３ｂの基材層の両端には、図２に示したように、一方の接着面を剥離紙で保護した両面テープ５が貼着され、屋根部形成部２１’を２つ折りにした状態に維持して、屋根部形成部２１’が自然に展開しないように防止する。
【０００９】
包装鏡餅固定台２は、上方底面部２４を備える。上方底面部２４は、一対の上方底面部形成部２４ａ、２４ｂからなる。一対の上方底面部形成部２４ａ、２４ｂは、図２に示したように、略Ｃ字状に構成され、屋根部内側面２３ａの両側の傾斜辺にそれぞれ連接されている。一対の上方底面部形成部２４ａ、２４ｂは、略半円状の切欠部２５ａ、２５ｂをそれぞれ有する。一方の上方底面部形成部２４ａは、両端にそれぞれ連接された２つの係止用突出片２６ａを備え、他方の上方底面部形成部２４ｂは、両端寄りに形成された２つの係止用切込溝２６ｂを備える。図３は、図２の展開状態にある包装鏡餅固定台２を折罫線２２で折り畳んで、屋根部形成部２１’を円形状に湾曲させて底面部側から
見た状態を示したものである。図３に示したように、一方の上方底面部形成部２４ａの係止用突出片２６ａを他方の上方底面部形成部２４ｂの係止用切込溝２６ｂに係止させ、一対の上方底面部形成部２４ａ、２４ｂの両端同士を相互に重ね合わせて連結することで、略円形状の包装鏡餅挿入穴２５が形成される。図３に示したように、包装鏡餅４が前記包装鏡餅挿入穴２５から内側方向に挿入されて、上方底面部２４は、包装鏡餅４が位置ずれしないように防止する。
【００１０】
包装鏡餅固定台２は、下方底面部２７を備える。下方底面部２７は、一対の下方底面部形成部２７ａ、２７ｂからなる。一対の下方底面部形成部２７ａ、２７ｂは、図２に示したように、略矩形状に構成され、屋根部外側面２３ｂの両側の傾斜辺にそれぞれ連接されている。一方の下方底面部形成部２７ａは、端部に形成された係止用突出片２８ａを備え、他方の下方底面部形成部２７ｂは、端部寄りに形成された係止用挿入穴２８ｂを備える。図４、５に示したように、一方の下方底面部形成部２７ａの係止用突出片２８ａを他方の下方底面部形成部２７ｂの係止用挿入穴２８ｂに係止させ、一対の下方底面部形成部２７ａ、２７ｂを重ね合わせて相互に連結して、下方底面部２７を形成し、上方底面部４の包装鏡餅挿入穴２５に挿入された包装鏡餅４を下方から支持する。一対の下方底面部形成部２７ａ、２７ｂには、それぞれ２つの支持台係止用切込溝２９が形成され、後述の円筒状に構成された支持台３の上端に形成された下方底面部係止用突出片３２を支持台係止用切込溝２９に係止させ、包装鏡餅固定台２が支持台３に支持される。
【００１１】
支持台３は、横長帯状で、包装鏡餅固定台２と同様に板紙等の基材層とその上に設けられたアルミニウム箔等の光沢層で構成されている。支持台３は、一方の側端に形成された係止用突出片３１ａと、他方の側端側に形成された係止用切込溝３１ｂと、を備える。基材層を内側にして円筒状に構成した状態で、係止用突出片３１ａを係止用切込溝３１ｂに係止させ、支持台３が形成される。支持台３は、上端に形成された４つの下方底面部係止用突出片３２を備える。支持台３は、該下方底面部係止用突出片３２を包装鏡餅固定台２の支持台係止用切込溝２９に係止させることで、包装鏡餅固定台２を支持する。
【００１２】
包装鏡餅４は、図７に示したように、プラスチックフィルムを鏡餅形状に熱成形して形成され、鏡餅を収納する収納容器部４１と、熱接着により収納部４２の底部に取り付けて密封したプラスチックフィルムの蓋材４２とで構成されている。蓋材４３は、正方形状に構成され、蓋材４３の一辺は、鏡餅４１の最大直径より大きく構成されている。
【００１３】
次に、前記構成からなる包装鏡餅用飾り台の組み立て方法について説明する。
【００１４】
まず、屋根部外側面２３ｂの裏面を構成する基材層の両端に貼着されている両面テープ５の剥離紙をはがした後、折罫線２２で基材層を内側にして屋根部形成部２１’を２つ折りにし、基材層を両面テープ５で貼り合わせ、包装鏡餅固定台２の内側面と外側面をいずれも光沢層で構成する。次に、屋根部２１を円形状に丸めて、図３に示したように、一方の上方底面部形成部２４ａの係止用突出片２６ａを、他方の上方底面部形成部２４ｂの係止用切込溝２６ｂに挿入して係止させ、上方底面部２４を形成する。次に、包装鏡餅４を、上方底面部２４の鏡餅挿入穴２５に挿入した後、図４（１）に示したように、一方の下方底面部形成部２７ａの係止用突出片２８ａの両端を折り曲げた状態で、係止用突出片２８ａを係止用挿入穴２８ｂに挿入する。次に、図４（２）に示したように、一方の下方底面部形成部２７ａの係止用突出片２８ａの両端を元の位置に戻して、係止用突出片２８ａを係止用挿入穴２８ｂに係止させ、下方底面部２７を形成し、上方底面部２４の包装鏡餅挿入穴２５に挿入された包装鏡餅４を下方底面部２７で下方から支持する。
【００１５】
支持台３の基材層を内側にして円筒状に丸めて、一方の側端の係止用突出片３１ａを、他方の側端側の係止用切込溝３１ｂに挿入して係止させ、支持台３を形成する。次に、支持台３上端の下方底面部係止用突出片３２を包装鏡餅固定台２の下方底面部の支持台係止用切込溝２９に係止させることで、包装鏡餅用飾り台１の組み立てが完成する。
【００１６】
包装鏡餅用飾り台１を構成する包装鏡餅固定台２及び支持台３は、アルミニウム箔と板紙の積層体で構成されているが、板紙としては、マニラボール、白ボール等が使用され、板紙の厚さとしては、ある程度の剛性が得られるように比較的厚い３００〜５００ｇ／ｍ２のものを使用するのが適当である。
【００１７】
包装鏡餅４を作製するためのプラスチックフィルムは、収納容器部４１として、未延伸ポリプロピレン（ＣＰＰ）／エチレン−ビニルアルコール共重合体（ＥＶＯＨ）／ＣＰＰ、ＣＰＰ／ＥＶＯＨ／線状低密度ポリエチレン（ＬＬＤＰＥ）、非晶質ポリエステル（Ａ−ＰＥＴ）／ＥＶＯＨ／ＣＰＰ、Ａ−ＰＥＴ／ＥＶＯＨ／ＬＬＤＰＥ等の構成のものが使用される。蓋材４２として、ＣＰＰ／ＥＶＯＨ／ＣＰＰ、ＣＰＰ／ＥＶＯＨ／ＬＬＤＰＥ、２軸延伸ポリエチレンテレフタレート（ＰＥＴ）／ＥＶＯＨ／ＣＰＰ、ＰＥＴ／ＥＶＯＨ／ＬＬＤＰＥ、蒸着２軸延伸ポリエチレンテレフタレート（ＶＭＰＥＴ）／ＬＬＤＰＥ、ＶＭＰＥＴ／ＣＰＰ等の構成のものが使用される。
【図面の簡単な説明】
【００１８】
【図１】包装鏡餅を固定した状態の本発明の一実施形態に係る包装鏡餅用飾り台の斜視図である。
【図２】包装鏡餅固定台の展開図である。
【図３】上方底面部形成部を連結する方法を示す斜視図である。
【図４】下方底面部形成部を連結する過程を示す斜視図
【図５】支持台の展開図である。
【図６】支持台の斜視図である。
【図７】包装鏡餅の斜視図である。
【符号の説明】
【００１９】
１  包装鏡餅用飾り台
２  包装鏡餅固定台
２１  屋根部
２１’  屋根部形成部
２２  折罫線
２３ａ  屋根部内側面
２３ｂ  屋根部外側面
２４  上方底面部
２４ａ、２４ｂ  上方底面部形成部
２５  包装鏡餅挿入穴
２５ａ、２５ｂ  略半円状の切欠部
２６ａ  係止用突出片
２６ｂ  係止用切込溝
２７  下方底面部
２７ａ、２７ｂ  下方底面部形成部
２８ａ  係止用突出片
２８ｂ  係止用挿入穴
２９  支持台係止用切込溝
３  支持台
３１ａ  係止用突出片
３１ｂ  係止用切込溝
３２  包装鏡餅固定台係止用突出片
４  包装鏡餅
４１  収納容器部
４２  蓋材
５  両面テープ
【図１】
0004465487.tif 000002
【図２】
0004465487.tif 000003
【図３】
0004465487.tif 000004
【図４】
0004465487.tif 000005
【図５】
0004465487.tif 000006
【図６】
0004465487.tif 000007
【図７】
0004465487.tif 000008